(57)【要約】【課題】従来の弦楽器は、ネックの角度位置を全角度域において変更することを不可能としておりあらゆる演奏家のニーズには応えていない。本発明は、この問題を解決するための、楽器のボディに対するネックの角度位置を調節してセットする機構を有した弦楽器を提供する。【解決手段】楽器のボディに対するネックの角度位置を調節してセットするための機構を備える弦楽器であって、前記機構が、ネックの連結部の内部に設けられた金属製インサート内に固定された金属製突出部と、該突出部を受け入れるための溝を規定する金属製部材とを備える。金属製部材はボディの連結部の内部に部分的に挿入されており、前記突出部及び前記溝は、共に適合しかつ互いに位置合わせされている一方、互いに接触はせず、溝は、該溝に沿った前記突出部の変位による前記楽器のボディに対するネックの角度位置の変化を許容するに十分なクリアランスを有していることを特徴としている。【選択図】図２
2018112743.tif 000002
【特許請求の範囲】
【請求項１】
楽器のボディ、ネック、及びペグボックスを有し、前記ネック及び前記ボディが互いに適合するそれぞれの連結部によって連結され、前記ネック及び前記ボディの連結部はこれら両連結部に共通となる孔に挿通される少なくとも１本の主ボルトによって固定され、かつ、前記楽器のボディに対する前記ネックの角度位置を調節してセットするための機構を備えるタイプの弦楽器において、
前記機構が、前記ネックの連結部の内部に設けられた金属製インサート内に固定された金属製突出部と、該金属製突出部を受け入れるための溝を規定する金属製部材とを備え、前記金属製部材は前記楽器の前記ボディの連結部の内部に部分的に挿入されており、前記金属製突出部及び前記溝は、共に適合しかつ互いに位置整合されている一方、互いに接触はせず、前記溝は、該溝に沿った前記金属製突出部の変位による前記楽器のボディに対する前記ネックの角度位置の変化を許容するに十分なクリアランスを有していることを特徴とする弦楽器。
【請求項２】
請求項１記載の弦楽器において、前記楽器のボディに対する前記ネックの角度位置の回転の中心が該楽器に張られた複数本の弦によって規定される平面と一致するように、前記ネックの連結部と、該ネックの連結部に挿入された前記金属製突出部とは凸状であり、かつ、前記楽器の連結部と、前記溝を有した前記金属製部材とは凹状でありことを特徴とする弦楽器。
【請求項３】
請求項１記載の弦楽器において、前記金属製突出部及び前記前記金属製部材が、前記ネックの連結部及び前記ボディの連結部がそれぞれ有する孔と一致する開口をそれぞれ備えており、前記主ボルトのアクセスが可能とされていることを特徴とする弦楽器。
【請求項４】
請求項１ないし３の何れか一項記載の弦楽器において、前記金属製部材が補助ボルトを備えた凹所を備え、前記補助ボルトは、前記金属製突出部のための可変ストッパとして作用するボール状の端部を備え、かつ、該補助ボルトの位置を変えるための操作ヘッドを備えていることを特徴とする弦楽器。
【請求項５】
請求項４記載の弦楽器において、前記楽器のボディが、前記補助ボルトの前記操作ヘッドにアクセスして前記補助ボルトを六角レンチ等によって操作できるようにする孔を有していることを特徴とする弦楽器。
【請求項６】
請求項１ないし５の何れか一項記載の弦楽器において、前記金属製突出部が、該金属製突出部及び前記金属製インサートと共通する孔であって前記主ボルトにおける前記孔とは異なる孔に挿通された少なくとも１本のボルトによって、前記金属製インサートに取り付けられていることを特徴とする弦楽器。
【請求項７】
請求項１ないし６の何れか一項記載の弦楽器において、前記主ボルトが挿通する前記ネックに設けられた孔はネジ穴であることを特徴とする弦楽器。
【請求項８】
請求項１ないし７の何れか一項記載の弦楽器において、前記弦楽器がギターでことを特徴とする弦楽器。
【発明の詳細な説明】
【技術分野】
【０００１】
本発明は、例えばギターといった弦楽器の分野に関する。
【０００２】
本発明は、特に、楽器のボディ、ネック、及びペグボックス（糸倉）を備え、ネックとボディとは互いに適合するそれぞれの連結部によって接合され、これらネック及びボディのそれぞれの連結部が、両連結部に共通となる孔に挿通された少なくとも一つの主ボルトによって固定され、前記ボディに対する前記ネックの角度を調節するための機構を備えたタイプの弦楽器に関する。
【背景技術】
【０００３】
音楽業界では、演奏者において、楽器が個人専用のものとして自分の演奏スタイルに合うように適合し得るものであって欲しいという要求が高まってきている。多くの場合、ギターのような楽器は演奏者の特注により製造される。演奏者が、新しいサウンドを手に入れるために、あるいは自身の演奏スタイルにより適合させるために、ギターの或るパーツの交換を要求する場合もある。しかしながら、特注楽器は高価であり、全ての演奏者が望めるものではない。
【０００４】
一方、市販されているギターは、搭載されているパーツを他のものに交換できない場合がある。例えば、ギターのネックは、特にネックを構成する木の寸法的な不安定さが理由で通常は交換することができない。このため、ギターのボディに対するネックの角度位置の調節を可能とする機構が存在する。例えば、〔特許文献１〕は、一方がネックに取り付けられかつ他方がボディに取り付けられた二つの噛合面を備え、それら噛合面がボルトによって互いに押し付け合わされてなる装置を開示している。該装置は、ユーザが、前記噛合面の歯状形状に基づき、ギターのボディに対するネックの角度を段階的に変更することを可能とする。通常木製である楽器のサウンドがネックの実質的な角度変化によって相当な影響を受けるとすれば、歯状形状に頼った既定位置に起因する多様性の欠如が、ネックの角度位置を全角度域において変更することを不可能にしており、よってこの楽器は、あらゆる演奏家のニーズに応えるものとはならない。
【先行技術文献】
【特許文献】
【０００５】
【特許文献１】スペイン国特許公開第 2578268 号公報 (ES2578268A1)
【発明の概要】
【発明が解決しようとする課題】
【０００６】
本発明は上記の問題を解決するためになされたもので、楽器のボディに対するネックの角度位置を調節してその後固定する機構を有し、かつ、従来のシステムに対し改良された調節並びにセッティングを提供する弦楽器を開示するものである。
【課題を解決するための手段】
【０００７】
特に、本発明は、特許請求の範囲の請求項１に規定された弦楽器を提供する。該弦楽器、とりわけギターは、楽器のボディ、ネック、及びペグボックス（糸倉）を備え、ネックとボディとは互いに適合するそれぞれの連結部によって接合され、これらネック及びボディの各連結部は、両連結部に共通となる穴に挿通された少なくとも一つの主ボルトによって固定され、前記ボディに対する前記ネックの角度を調節するための機構を備えたタイプのものである。該弦楽器はさらに、楽器のボディに対する前記ネックの角度位置を調節及び設定するための機構を備え、該機構は、前記ネックの連結部の内部に設けられた金属製インサート内に固定された金属製突出部と、該金属製突出部を受け入れる溝を規定する金属製部材とを備え、該金属製部材は一部が前記楽器のボディの連結部内に挿入されており、これら金属製部材及び前記溝は共に適合しかつ両者接触することなく互いに位置整合されており、さらに前記溝は、前記金属製突出部が該溝に沿って移動することにより前記楽器のボディに対する前記ネックの角度位置が変化することを許容するに十分なクリアランスを有していることを特徴としている。
【０００８】
第一に、前記金属製突出部は、前記金属製部材内の溝のクリアランスに沿ったガイドとして機能することができる。これにより、それぞれ前記突出部及び前記溝を備えたネックの連結部と、ボディの連結部との間の効率的な位置合わせが保証される。同様に、突出部と溝とが共に適合した構造により、ネックとボディとの間の正確で細かい、連続的な調節又は変更が可能となる。
【０００９】
第二に、本発明によるこの調節及びセッティング機構に関連する部品の組が金属製であるため、前記主ボルトの機構の締付け動作が、該楽器自体の使用中に生ずる変化に対し、該機構をそのセット位置で補強する。ネック及びボディの各連結部が金属製コンポーネントを備え、これら金属製コンポーネントは、双方の金属製コンポーネントに共通の貫通孔に挿入される主ボルトの締付け動作によって所定の位置に固定されるので、該セッティング機構は前記変化に対して補強される。
【００１０】
また、本発明によるこの調節及びセッティング機構に関連する部品の組は金属製であるため、同一の楽器のボディに異なるネックを交換して取り付けることも迅速、便利、かつ効率的に行うことができる。
【００１１】
さらに、前記金属製突出部と、楽器のボディに対するネックの角度位置の連続的変化を可能にするために前記突出部が摺動できる溝を備えた金属製部材とは、該調節機構の作動中に決して接触せず、ギターのサウンドの要とされる木によって製作されたネックとボディのそれぞれの連結部のみが接触する。
【００１２】
好ましくは、前記楽器のボディに対する前記ネックの角度位置の回転の中心が、該楽器に張られた複数本の弦によって規定される平面と一致するように、前記ネックの連結部と、該ネックの連結部内に挿入された前記金属製突出部とは凸状を呈する一方、前記溝を備えた前記金属製部材は凹状を呈している。このように、本発明による該調節機構への弦の押圧は維持される必要がない。
【００１３】
好ましくは、前記金属製突出部及び前記金属製部材の双方は、ネックの連結部及びボディの連結部のそれぞれにおける前記貫通孔と一致する開口を備えており、前記主ボルトが用いられるようになっている。
【００１４】
好ましくは、前記金属製部材はさらに、補助ボルトを備えた凹所を有している。該補助ボルトは、前記突出部のための可変ストップとして機能するボール状端部と、該補助ボルトの位置を変更するための作動ヘッドと、を有している。任意に、該補助ボルトは、精確に傾きを調節すること、すなわちネックとギターのボディとの間の相対位置を変化させることを可能とする。また、該補助ボルトは、本発明による機構に、強度と、該弦楽器の使用中に弦によってもたらされる変化に対する更なる安定性とを提供する。さらに好ましくは、楽器のボディは、該補助ボルトの前記ヘッドにアクセスするための穴を有しており、これにより、六角レンチ(Allen key) 等を用いて前記ボルトを操作することができる。
【００１５】
好ましくは、前記金属製突出部は、前記突出部及び前記インサートに共通であるが前記主ボルト用の前記孔とは異なる孔に挿通された少なくとも一つのボルトによって、前記金属製インサートに取り付けられている。
【００１６】
好ましくは、前記ネックに設けられた、前記主ボルトが挿通される前記孔にはネジが切られている。
【００１７】
以下、本発明を、添付の図面を参照した実施形態を例に、より詳細に説明する。
【図面の簡単な説明】
【００１８】
【図１】ボディに対するネックの角度位置を調節しセットするための本発明による機構を備えた弦楽器の一例であるギターの斜視図である。
【図２】図１に示すギターの後部の詳細を示す斜視図である。
【図３】図１に示すギターのボディの詳細を示す斜視図であり、金属製突出部を受けるための溝を規定する金属製部材を示したものである。
【図４】図１に示したギターのネックの詳細を示す斜視図であり、該ネックの金属製突出部が示されている。
【図５】ネックとギターのボディとの間の角度位置が所定位置にある、ネックの長手軸線に沿った長手方向断面図である。
【図６】ネックとギターのボディとの間の角度位置が図５と異なる位置にある、ネックの長手軸線に沿った長手方向断面図である。
【発明を実施するための形態】
【００１９】
図１は、互いに適合するネック２０及びボディ３０のそれぞれの連結部２００，３００（図３ないし図６）によってボディ３０に連結されたネック２０を備え、かつ、本発明による調節及びセッティング機構を備えたギター１０を示す。下記に説明するように、ネック２０及びボディ３０の各々の連結部２００，３００は、これら連結部２００，３００間を接触させるためにそれぞれ面２１０，２２０及び面３１０，３２０を有している。該ギター１０の前記ボディ３０は、金属製突出部２１（図４参照）を受け入れるための金属製部材３１（図２参照）を備えている。該金属製部材３１は以下で詳述する開口３２′（図２及び図３参照）を有し、主ボルト３２の挿入が可能となっている。主ボルト３２の頭部３２′′は、ギター１０の下部から見ることができる（図２参照）。さらに、前記ネック２０の連結部２００と、該連結部２００に装着された前記金属製突出部２１は凸状をなし、かつ、前記ボディ３０の前記連結部３００、及び溝３４を備える前記金属製部材３１は凹状をなしており、これにより、前記ボディ３０に対するネック２０角度位置の回転中心は、該ギター１０のネック２０に張られた弦によって規定される平面と一致するものとなっている。このように、本発明による該調節及びセッティング機構へ弦による押圧を維持する必要はない。
【００２０】
図３に示すように、前記金属製受入れ部材３１は任意に凹所３５を有していても良い。該凹所３５はネジ切りされた面を有し、セルフロック式ナット３３が設けられ、内ネジを切られたその孔に補助ボルト３３′′が配される（図５及び図６参照）。後述するように、この補助ボルトは、前記金属製突出部２１のための可変ストッパとして機能し、あるいは、前記ギター１０の前記ボディ３０と前記ネック２０との間の相対位置の微調節を可能とする。図５及び図６から分かるように、前記受入れ部材３１によって使用者は補助孔３３′（図２、図５、及び図６を参照）を介して、前記補助ボルト３３′′の、六角レンチ等を受け入れ可能な形状を有した頭部（図示されない）にアクセスして、該補助ボルトを操作することができる。さらに、前記セルフロック式ナット３３は、ナイロン製インサートを備えていてもよい。この場合のナイロン製インサートは、該ギター１０の使用中に発生する振動によって前記補助ボルト３３′′が動くこと又は緩むことを防止するブレーキ（図示せず）として機能する。
【００２１】
また、前記突出部２１（図４参照）は第２の開口２２′を備えており、該第２の開口２２′もまた、前記主ボルト３２のネジ穴２３への挿入を可能としている。該ネジ穴は前記ネック２０に設けられており（図５又は図６参照）、かつ、前記第２の開口２２′と一致している。このようにして、前記突出部２１が前記受入れ部材３１に対面した位置にあると、前記主ボルト３２は、前記ネック２０の前記ネジ穴２３（図５又は図６参照）内に挿入されるように前記部材３１における前記開口３２′と前記突出部２１における前記開口２２′との双方を貫通し、そうして、ネック２０及びギター１０のボディ３０のそれぞれの面（２１０, ２２０）（３１０，３２０）によるネック２０及びボディ３０の各連結部２００，３００間の接触によって、ボディ３０に対しネック２０の角度位置をセットする。この結果、前記主ボルト３２を締め付けることにより、ボディ３００の連結部３００の面３１０，３２０に対し、ネック２０の連結部２００の面２１０，２２０が押し付けられ、前記突出部２１は前記受入れ部材３１に、接触することなく対向することとなり、この状態で、よってギター１０のボディ３０に対するネック２０の角度位置がセットされる。
【００２２】
図３に示すように、突出部２１を受け入れるための部材３１は、突出部２１を受け入れる溝３４を有している。図３ないし図６に示すように、前記突出部２１及び溝３４は適合し合う形状を有しかつ互いに位置合わせされているが、互いに接触はしない。また、前記溝３４は、前記突出部２１の溝３４に沿った変位によるギター１０のボディ３０に対するネック２０の角度位置の変化を許容するに十分なクリアランスを有している。このように、突出部２１は受入れ部材３１の溝３４のクリアランスに沿ったガイドとして機能することができ、これにより、前記突出部２１及び前記溝３４をそれぞれ備えた、ネック２０及びボディ３０のそれぞれの連結部２００，３００間における効率的な位置合わせが保証される。同様に、突出部２１と溝３４とが適合する構造により、ある特定の位置から別の位置にいきなり移動させたり、不連続的に傾斜させたりするのではなく、ネック２０と楽器のボディ３０との相対位置を連続的に調節あるいは変化させることが可能である。
【００２３】
前記主ボルト３２（図５及び図６参照）によって前記突出部２１は前記部材３１における溝３４に対しある角度位置で保持される。これは、前記ボディ３０の連結部３００の面３１０，３２０に対しネック２０の連結部２００の面２１０, ２２０を押し付ける主ボルト３２の締付け操作による。このようにして、ギター１０のボディ３０に対してネック２０の角度位置がセットされる。
【００２４】
ギター１０のボディ３０に対してネック２０の角度位置を変更するためには、まず主ボルト３２を緩め、次いでネック２０を、前記溝３４の前記クリアランスのサイズによって許容される分だけ、ボディ３０に対する所望の角度位置に位置させなければならない。ボディ３０に対するネック２０の角度位置変更は、手によって行うことも、あるいは前記補助ボルト３３′′を操作することによっても行うことが可能である。
【００２５】
補助ボルト３３′′の操作によってボディ３０に対するネック２０の角度位置を調節するためには、まず、前記主ボルト３２を緩め、次いで補助ボルト３３′′を操作しなければならない。補助ボルト３３′′の端部は、前記突出部２１に接触するボール３６を備えている（図５及び図６参照）。補助ボルト３３′′を操作することにより、前記ボール３６が前記突出部２１を押し、突出部２１が、溝３４に沿って、ボディ３０に対するネック２０の角度位置が連続的に変化するように、かつ精密調節されるように摺動する。次いで、主ボルト３２をもう一度締め付ければ、ネック２０とギター１０のボディ３０との間に生ずる相対位置をセットすることが可能である。
【００２６】
図５及び図６から分かるように、前記金属製突出部２１は、ネック連結部２００の内部に設けられた金属製インサート４０の内部に、各ボルト４１，４２によって取り付けられている。ここで、本発明の調節及セッティング機構に含まれる部品の組は金属製であるため、主ボルト３２の締付け操作によって、ギター１０自体の使用中に生ずる振動に対し、該機構自体を、そのセット位置において補強することが可能である。ネック２０及びボディ３０の連結部２００，３００はそれぞれ、該金属製部品に共通な貫通孔に挿入される主ボルト３２の締付け操作によって所定の位置に設けられている金属製部品を備えているので、該セッティング機構は前記振動に対して補強される。
【００２７】
図５及び図６は、ギター１０のボディ３０に対するネック２０の異なる二つの位置を示しており、図６においてネック２０は、図５に示す位置に対し所定の角度Ａだけ傾いている。図から分かる通り、主ボルト３２は、受入れ部材３１に対して、突出部２１と共に回転する。
【００２８】
以上、本発明を実施形態を参照して説明してきたが、本発明はこれらの実施形態のものに限定されるものではなく、本明細書、特許請求の範囲、及び図面に開示された要旨に照らし当業者にとって自明なこととされるであろう種々の構造的その他の具体的変更が可能であることを理解すべきである。従って、本発明の技術的範囲は、記載された特許請求の範囲から考えられる最大限広い保護範囲における変更又は均等物を含むものである。
【符号の説明】
【００２９】
１０  ギター（弦楽器）
２０  ネック
２２′  第２の開口
２１  金属製突出部
３０  ボディ
３１  金属製部材
３２  主ボルト
３２′  開口
３３  セルフロック式ナット
３３′  補助孔
３３′′  補助ボルト
３４  溝
３５  凹所
４０  金属製インサート
２００  （ネックの）連結部
３００  （ボディの）連結部
【図１】
2018112743.tif 000003
【図２】
2018112743.tif 000004
【図３】
2018112743.tif 000005
【図４】
2018112743.tif 000006
【図５】
2018112743.tif 000007
【図６】
2018112743.tif 000008
【外国語明細書】
2018112743000001.pdf